(57)【要約】      （修正有）【課題】撮像装置が備えるＬＣＤ及び外部表示手段に表示する文字情報の画面内の位置を変更することにより、ＬＣＤで画像を確認する際は文字情報を見やすく、ワイドテレビジョンを使用するときは、ダイナミックな画像を楽しむことができる撮像装置を提供する。【解決手段】このデジタルスチルカメラ１００は、光電変換した被写体の画像をデジタル化するＡ／Ｄ変換器３と、画像信号の補間処理、ホワイトバランス処理、γ処理、輪郭強調処理などを行う画像処理部４と、画像データを保存するＳＤＲＡＭ５と、それぞれの出力先に適応した信号形態にエンコードするＬＣＤエンコーダ６と、ビデオエンコーダ７と、エンコードされた画像データを外部のワイドテレビジョンに出力するビデオアンプ１８と、絵文字アイコンや画面デザイン情報などを記憶するＲＯＭ１３と、全体の動作を制御するＣＰＵ１５と、を備えて構成される。【選択図】図１
2006197524.tif 000002
【特許請求の範囲】
【請求項１】
被写体の光学画像を光電変換する撮像素子と、画像データを表示する表示手段と、外部表示装置と接続するための映像信号出力手段と、前記画像データに所定の撮像情報を合成して出力する情報付加手段と、前記撮像素子の全ての有効画素から得られる画像データの一部を用いてワイドアスペクトの映像信号を生成するワイド映像信号生成手段と、前記各手段を制御する制御手段と、を備えた撮像装置において、
前記制御手段は、ワイド映像信号を付加する撮影情報の位置が、前記表示手段に表示する画像と前記映像信号出力手段に出力する画像とにより異なるように前記情報付加手段を制御することを特徴とする撮像装置。
【請求項２】
請求項１に記載の撮像装置において、前記制御手段は、前記ワイド映像信号を付加する撮影情報の位置および大きさが、前記表示手段に表示する画像と前記映像信号出力手段に出力する画像とにより異なるように前記情報付加手段を制御することを特徴とする撮像装置。
【請求項３】
被写体の光学画像を光電変換する撮像素子と、画像データを表示する表示手段と、外部表示装置と接続する映像信号出力手段と、該映像信号出力手段に当該撮像装置と外部表示手段とを接続するためのケーブルが挿入されたか否かを検出するケーブル挿抜検出手段と、前記画像データに撮像情報を合成して出力する情報付加手段と、前記撮像素子の全ての有効画素から得られる画像データの一部を用いてワイドアスペクトの映像信号を生成するワイド映像信号生成手段と、前記各手段を制御する制御手段と、を備えた撮像装置において、
前記制御手段は、ワイド映像信号を付加する撮影情報の位置を、前記表示手段に出力する場合と前記映像信号出力手段に出力する場合とで変更するように前記情報付加手段を制御することを特徴とする撮像装置。
【請求項４】
請求項３に記載の撮像装置において、前記制御手段は、前記ワイド映像信号を付加する撮影情報の位置および大きさが、前記表示手段に出力する場合と前記映像信号出力手段に出力する場合とにより異なるように前記情報付加手段を制御することを特徴とする撮像装置。
【請求項５】
請求項１乃至４の何れか一項に記載の撮像装置において、前記制御手段は、外部表示装置が現行テレビジョン方式と同等なアスペクト比４：３であるか、またはワイドアスペクト比１６：９であるか否かを設定するアスペクト設定手段を更に備え、該アスペクト設定手段により前記ワイドアスペクト比が設定された場合、付加する撮影情報の位置、または位置および大きさを変更するように前記情報付加手段を制御することを特徴とする撮像装置。
【請求項６】
請求項１乃至５の何れか一項に記載の撮像装置において、前記制御手段は、当該撮像装置から所定の画像を前記映像信号出力手段に出力し、該映像信号出力手段により出力された画像を映し出した外部表示装置を撮像することにより、該外部表示装置が現行テレビジョン方式と同等なアスペクト比であるか、またはワイドアスペクト比であるか否かを判別するアスペクト比判別モードを更に備えたことを特徴とする撮像装置。
【発明の詳細な説明】
【技術分野】
【０００１】
本発明は、撮像装置に関し、さらに詳しくは、撮像装置により撮影した画像データを外部表示装置により表示する際に、表示する画像に撮像情報を付加する技術に関するものである。
【背景技術】
【０００２】
近年、デジタルスチルカメラが広く普及してきている。これらのデジタルスチルカメラの多くは、撮影する画角の確認や撮影した画像の結果を表示するために、表示手段（主に液晶ディスプレイ、ＬＣＤ）と、外部の表示装置（主にテレビジョン）に接続するための映像信号出力端子とビデオ信号発生手段を備えている。また、撮像素子で撮像した画像データに、撮影に関する情報を提供するために文字情報（アイコン、絵文字などを含む）を重畳表示するための情報付加手段を更に備え、例えば記録時には残記録可能枚数や、バッテリー残量、フラッシュの状態などを表示させ、再生時にはその画像のファイル番号や撮影時の日付情報などを表示させたりしている。更に、従来銀塩カメラで採用されていたような広大な風景を撮影するような場合に、より広がりを感じられるように撮影できる所謂パノラマ撮影が可能なデジタルスチルカメラが発売されている。
そしてパノラマ撮影機能を実現するためには、撮像素子より得られる現行テレビジョン方式と同等なアスペクト比（４：３）の画像データの上下部分をカット或いはマスキング処理し、中央部分のみを用いて表示する方法と、水平方向に移動し撮影された少なくとも２枚以上の４：３の画像データを画像処理により合成することにより達成する方法とが知られている。
しかし、このパノラマ撮影モードでのモニタリングや、パノラマ撮影モードで記録された画像の再生をデジタルスチルカメラが備えているＬＣＤやテレビジョンなどの外部表示装置で行う際、情報付加手段により付加される文字情報は、その位置や大きさを配慮した設計が必要になってくるが、通常のアスペクト比４：３により記録するモードで表示される位置を変更しないことが一般的であった。また、これら文字情報は一般的に主画像部分を隠さないように画面周辺部に配置されるべきものであった。
しかし、特許第２９５３２８０号で開示されているように、ワイドテレビジョン側は、入力された映像信号の輝度レベルを解析し、上下にマスク部分が存在する映像信号であった場合は、アスペクト比を異ならせる（つまり、１６：９のパノラマ画像をワイドテレビジョンの画面一杯に表示する）ように動作することが可能になってきている。それにより上下のマスク部分に文字情報が存在する場合は、前述の機能が働くことができなくなってしまうため、必ずしも主画像部分以外の部分に文字情報を重畳することがベストではないという状況も発生してきている。
【０００３】
尚、ＩＥＥＥ、ＩＥＣや日本電子機械工業会（ＥＩＡＪ）では、ＡＶ機器の相互接続のためそのインターフェースを規格化しており、例えば、Ｓ映像信号コネクタ規格（ＥＩＡＪ  ＣＰＲ−１２０１）では、Ｃ信号に直流電圧を重畳し、その電圧レベルで４：３であるか他の画面フォーマットであるかを判断できるようにしている。しかし、デジタルスチルカメラでは、複数の電圧を生成するのに回路スペース、消費電力の増大が生じてしまうこと、またカメラ自体の大きさに対し、Ｓ端子コネクタが大きいことなどの理由で、デジタルスチルカメラにＳ端子コネクタが搭載されることはほとんどない。
また、デジタルスチルカメラに搭載されるＬＣＤは、大きくても２．５インチ程度であるのに対し、ワイドテレビジョンの大きさの主流は２５インチ程度である。前述の様に文字情報に関してはなるべく主画像を隠さないように配慮しなければいけないという点から考えると、テレビジョンで画像を確認する際、カメラが備えているＬＣＤに表示するときと同じ大きさにより、文字情報を出力する必要が無いことは明白である。
【０００４】
また従来技術として特許文献１には、複数の撮像系と、前記撮像系で撮影された複数の画像を表示手段に出力する出力手段とを有する撮像装置において、出力する表示手段を選択する出力選択手段と、前記選択された表示手段により画像サイズを変更する画像サイズ変更処理手段とを有し、前記出力手段は、前記出力選択手段で選択された表示手段へ、前記画像サイズ変更手段からの画像を表示する技術が開示されている。
また特許文献２には、撮像光を光電変換したのちに、画像データとして記録媒体に記録するデジタルカメラにおいて、被写体を表示可能な被写体表示手段と、前記被写体表示手段に表示可能な被写体表示の上側および下側を所定割合削除したパノラマ表示を表示するパノラマ表示手段と、前記被写体表示の画像の上側および下側について画像データを所定割合削除したパノラマ画像データを作成するパノラマ画像データ作成手段とを設ける。これによりパノラマサイズの画像表示が実現し、パノラマサイズの画像データを作成することが開示されている。
また特許文献３には、被写体を撮像して画像データを取得する撮像部と、テレビモニターと接続するためのビデオインターフェイスと、画像データをテレビモニターに表示する際に、表示装置の表示倍率および当該画像データの撮影倍率に基づき、被写体の大きさに対する表示上の倍率を算出して、当該算出した被写体の大きさに対する表示上の倍率でテレビモニターに表示させるべく制御するシステム制御部とを備えているデジタルカメラについて開示されている。
【特許文献１】特開２００２−２３２７５４公報
【特許文献２】特開平１０−３４１３６１号公報
【特許文献３】特開２０００−３５４１８１公報
【発明の開示】
【発明が解決しようとする課題】
【０００５】
しかし特許文献１に開示されている従来技術は、パノラマ画像を撮像し、それを外部表示装置に出力するという点に関しては類似するが、重畳される文字情報に関しては開示されていない。
また特許文献２に開示されている従来技術は、パノラマ表示時の上下のマスキング部分にグラフィックスデータを重畳するということが開示されており、パノラマ画像の出力に関する点と、ＬＣＤにおいて上下のマスキング部分を利用し、その部分にグラフィックデータを重畳するという点については類似するが、外部に出力する映像信号の文字情報に関しては配慮されていない。
本発明は、かかる課題に鑑み、撮像装置が備えるＬＣＤ及び外部表示手段に表示する文字情報の画面内の位置を変更することにより、パノラマ画像を鑑賞する際、ＬＣＤで画像を確認する際は文字情報を見やすくするとともに、ユーザーがワイドテレビジョンを使用して画像を出力するときは、よりダイナミックな画像を楽しむことができる撮像装置を提供することを目的とする。
【課題を解決するための手段】
【０００６】
本発明はかかる課題を解決するために、請求項１は、被写体の光学画像を光電変換する撮像素子と、画像データを表示する表示手段と、外部表示装置と接続するための映像信号出力手段と、前記画像データに所定の撮像情報を合成して出力する情報付加手段と、前記撮像素子の全ての有効画素から得られる画像データの一部を用いてワイドアスペクトの映像信号を生成するワイド映像信号生成手段と、前記各手段を制御する制御手段と、を備えた撮像装置において、前記制御手段は、ワイド映像信号を前記表示手段に表示する画像と前記映像信号出力手段に出力する画像とにより、付加する撮影情報の位置が異なるように前記情報付加手段を制御することを特徴とする。
表示手段と映像信号出力手段に出力する画像とで異なる撮影情報（以下、ＯＳＤ：On Screen Displayと記す）を用い、その表示位置を変更することで、表示手段の場合はマスク部分を利用しＯＳＤを表示しているので、ＯＳＤ、主画像とも見やすくなっている。また映像信号出力手段（ワイドテレビ）の場合は、ＯＳＤと主画像とを重ね、上下に無信号領域を設けることで、テレビ側で画面一杯にパノラマ画像を映し出せるようにしている。
請求項２は、請求項１に記載の撮像装置において、前記制御手段は、前記ワイド映像信号を付加する撮影情報の位置および大きさが、前記表示手段に表示する画像と前記映像信号出力手段に出力する画像とにより異なるように前記情報付加手段を制御することを特徴とする。
本発明は主画像に対するＯＳＤの大きさの比を変更することで、テレビジョンで鑑賞する際の主画像を更に見易くするようにしている。尚、ＯＳＤは主画像に対する比率が小さくなっているが、テレビジョンの画面自体が大きくなっているので、見えにくくなるという心配はない。
【０００７】
請求項３は、被写体の光学画像を光電変換する撮像素子と、画像データを表示する表示手段と、外部表示装置と接続する映像信号出力手段と、該映像信号出力手段に当該撮像装置と外部表示手段とを接続するためのケーブルが挿入されたか否かを検出するケーブル挿抜検出手段と、前記画像データに撮像情報を合成して出力する情報付加手段と、前記撮像素子の全ての有効画素から得られる画像データの一部を用いてワイドアスペクトの映像信号を生成するワイド映像信号生成手段と、前記各手段を制御する制御手段と、を備えた撮像装置において、前記制御手段は、ワイド映像信号を付加する撮影情報の位置を、前記表示手段に出力する場合と前記映像信号出力手段に出力する場合とで変更するように前記情報付加手段を制御することを特徴とする。
本発明は映像信号出力手段にケーブルが差されたか否かを検出するためのスイッチを制御手段に更に備え、ケーブルが挿入されていない場合は、表示手段のＯＳＤデータを用いてビデオエンコーダで信号をエンコードして表示手段に出力する。またケーブルが挿入されている場合は、映像信号出力手段のＯＳＤデータを用いてビデオエンコーダで信号をエンコードして映像信号出力手段に出力させるようにする。
請求項４は、請求項３に記載の撮像装置において、前記制御手段は、前記ワイド映像信号を付加する撮影情報の位置および大きさが、前記表示手段に出力する場合と前記映像信号出力手段に出力する場合とにより異なるように前記情報付加手段を制御することを特徴とする。
本発明は主画像に対するＯＳＤの大きさの比を変更することで、テレビジョンで鑑賞する際の主画像を更に見易くするようにしている。尚、ＯＳＤは主画像に対する比率が小さくなっているが、テレビジョンの画面自体が大きくなっているので、見えにくくなるという心配はない。
【０００８】
請求項５は、請求項１乃至４の何れか一項に記載の撮像装置において、前記制御手段は、外部表示装置が現行テレビジョン方式と同等なアスペクト比４：３であるか、またはワイドアスペクト比１６：９であるか否かを設定するアスペクト設定手段を更に備え、該アスペクト設定手段により前記ワイドアスペクト比が設定された場合、付加する撮影情報の位置、または位置および大きさを変更するように前記情報付加手段を制御することを特徴とする。
ユーザーが使用しているテレビジョンのアスペクト比が１６：９であるか４：３であるかを設定するためのメニューを設ける事で、４：３のテレビジョンをユーザーが使用している場合でも、パノラマ画像をＯＳＤに邪魔される事無く鑑賞できるようにすることが可能になる。
請求項６は、請求項１乃至５の何れか一項に記載の撮像装置において、前記制御手段は、当該撮像装置から所定の画像を前記映像信号出力手段に出力し、該映像信号出力手段により出力された画像を映し出した外部表示装置を撮像することにより、該外部表示装置が現行テレビジョン方式と同等なアスペクト比であるか、またはワイドアスペクト比であるか否かを判別するアスペクト比判別モードを更に備えたことを特徴とする。
アスペクト比判別モードを設け、そのモードに入ると、テレビジョンの画面一杯にビデオエンコーダで設定できる範囲で最大の輝度が得られるような信号を出力するように動作させる。ユーザーはその画面を撮像するように、カメラをテレビジョンに向ける。テレビジョンの画面と画面以外の部分とは、明らかな輝度差が生じているので、撮像された画像データを画面内で細かい領域に分け、それぞれの領域の輝度を測定すれば、明るい部分の縦横比が算出される。
【発明の効果】
【０００９】
請求項１の発明によれば、撮像装置が備える表示手段と外部表示手段とにより、情報付加手段によって付加される文字情報の画面内の位置を変更するので、パノラマ画像を鑑賞する際、表示手段で画像を確認の際は、文字情報を見やすくするとともに、ユーザーがワイドテレビジョンを使用し、そこに画像を出力するときは、位置を変更しない場合より、よりダイナミックな画像を楽しむことができる。
また請求項２では、ワイド映像信号を前記表示手段に表示する画像と映像信号出力手段に出力する画像とにより、付加する撮影情報の位置および大きさが異なるように制御するので、よりダイナミックな画像を楽しむことができるとともに、主画像部分の文字情報によるケラレも少なくすることができるので、主画像の視認性を向上することができる。
また請求項３では、映像信号出力手段にケーブルが差されたか否かを検出するためのスイッチを制御手段に更に備えたので、安価なＤＰＳを用いた撮像装置においても、撮像装置が備える表示手段と外部表示手段とで、情報付加手段によって付加される文字情報の画面内の位置を変更することによって、パノラマ画像を鑑賞する際、表示手段で画像を確認の際は、文字情報を見やすくし、ユーザーがワイドテレビジョンを使用し、そこに画像を出力するときは、位置を変更しない場合より、よりダイナミックな画像を楽しむことができる。
また請求項４では、ワイド映像信号を前記表示手段に出力する場合と映像信号出力手段に出力する場合とにより、付加する撮影情報の位置および大きさが異なるように制御するので、安価なＤＰＳを用いた撮像装置においても、テレビジョン用の信号の文字情報の大きさを変更することで、よりダイナミックな画像を楽しむことができるとともに、主画像部分の文字情報によるケラレも少なくすることができるので、主画像の視認性が向上する。
また請求項５では、安価なＤＰＳを用いた撮像装置においても、ユーザーの使用するテレビがワイドテレビジョンであるか４：３のテレビジョンであるかを設定するメニューをもつので、ユーザーが４：３のテレビジョンを使用している場合の主画像の視認性の向上を図ることが可能となる。
また請求項６では、ユーザーが所有するテレビジョンのアスペクト比を認識していない場合でも、撮像装置によりそのテレビジョンのアスペクト比の認識を行うことができるようになり、ユーザーの利便性を向上させることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は第１の実施形態に係るデジタルスチルカメラの回路の一例を示すブロック図である。このデジタルスチルカメラ１００は、被写体の光学画像を光電変換するＣＣＤ（撮像素子）１と、ＣＣＤの出力信号を相関２重サンプリングによって、ノイズ成分を除去しながらＣＣＤ出力信号をサンプリングし信号成分だけを出力するＣＤＳ、ＡＧＣ２と、Ａ／Ｄ変換して量子化データとするＡ／Ｄ変換器３と、画像処理部でＣＣＤ信号の補間処理、ホワイトバランス処理、γ処理、輪郭強調処理などを行う画像処理部４と、ＹＣｂＣｒデータを保存するＳＤＲＡＭ５と、それぞれの出力先に適応した信号形態にエンコードされ出力するＬＣＤエンコーダ６と、ビデオエンコーダ（ワイド映像信号生成手段）７と、ＪＰＥＧ圧縮処理後のデータを記憶するメモリーカード８と、ＬＣＤエンコーダ６によりエンコードされた画像を表示するＬＣＤ９と、ビデオエンコーダ７によりエンコードされた画像データを外部表示手段に出力するビデオアンプと外部出力端子（映像信号出力手段）１０と、ワイドテレビジョン（外部表示装置）１１と、テレビジョン（外部表示装置）１２と、カメラのモードを表す絵文字アイコンやメニュー画面用の画面デザイン情報などを記憶するＲＯＭ１３と、全体の動作を制御するＣＰＵ（情報付加手段）１５と、を備えて構成される。
以下、このデジタルスチルカメラの動作について説明するが、この例で使用されるＣＣＤは水平画素数２０４８画素、垂直画素数１５３６画素の所謂３ＭＣＣＤでアスペクト比は４：３であるものとし、ＬＣＤは１．５インチ型でアスペクト比は４：３のものを使用しているものとする。
【００１１】
ＣＣＤ１で受光した光は、光電変化されＣＤＳ２に送られる。ＣＤＳ２では、ＣＣＤ１の出力信号を相関２重サンプリングによって、ノイズ成分を除去しながらＣＣＤ出力信号をサンプリングし信号成分だけを出力する。次にその信号をＡ／Ｄ変換器３でＡ／Ｄ変換し、量子化データを後段のＤＳＰ１４に送る。ＤＳＰ１４では、画像処理部４でＣＣＤ信号の補間処理、ホワイトバランス処理、γ処理、輪郭強調処理などを行った後、このＲＧＢデータをＹＣｂＣｒデータに変換し、ＳＤＲＡＭ５に一時保存する。モニタリングであれば、これらの動作を１画面毎に繰り返すと共に、ＳＤＲＡＭ５に蓄えられたデータを、逐次ＤＳＰ１４内部のＬＣＤエンコーダ６、ビデオエンコーダ７に出力し、それぞれの出力先に適応した信号形態にエンコードされ出力される。またメモリーカード８などの記録手段に保存する場合は、ＪＰＥＧ圧縮処理後、メモリーカード８に書き込む。またパノラマ画像を得るモードの場合、まずモニタリングの場合は、２０４８×１５３６画素のまま、次段のＬＣＤエンコーダ６やビデオエンコーダ７に出力され、ここで上下それぞれ１９２ライン分をマスク処理する。記録の場合は、ＪＰＥＧ処理前のデータの上下１９２ラインを除いた２０４８×１１５２画素を切りだし、この部分のみをＪＰＥＧ圧縮処理し、メモリーカードに書きこむ。再生の時は、ＪＰＥＧの伸張処理を施し、ＳＤＲＡＭ５に保存する。この時画面上下部分を無信号とし、中央部にパノラマ画像を配置し、２０４８×１５３６の画像として扱う。そしてＬＣＤエンコーダ６、ビデオエンコーダ７に出力し、それぞれの出力先に適応した信号形態にエンコードされ出力される。なお、垂直画素数を１１５２にしたのは、１６：９のワイドテレビのアスペクト比に合わせたためで、水平画素数を２０４８のままとしたのは、このＣＣＤ１で得られる最高の水平解像度を維持するためである。
またそれぞれのエンコーダ内部では、まずＬＣＤエンコーダ６では、主画像のＹＣｂＣｒデータとＬＣＤ用のＯＳＤデータとの加算が行われ、次に使用するＬＣＤに適した信号形態にエンコードしてＬＣＤへ出力し画像が表示される。前述のＯＳＤデータとはオンスクリーンディスプレイと呼ばれるＹＣｂＣｒの画像データで、主にはカメラのモードを表す絵文字アイコンやメニュー画面用の画面デザイン情報などで、ＤＳＰに接続された不揮発性のメモリー（ＲＯＭ１３）に格納されている。
また、テレビジョンに前述のＹＣｂＣｒデータを出力する場合は、ビデオエンコーダ７に送られ、ＬＣＤ１の時と同様にＯＳＤデータとの加算が行われるが、ＬＣＤ９の時とは異なるテレビジョン用のＯＳＤデータを使用する。ＯＳＤが重畳されたデータは、規定のテレビジョン用の信号形態にエンコードされ、外部出力端子から出力される。以上がパノラマ撮影モードを有したデジタルスチルカメラの一連の動作に関する説明である。
【００１２】
次に本発明の動作を、従来例と比較することにより説明する。図２は従来のデジタルスチルカメラにおいて、パノラマ画像を再生する時の様子を表した図である。（ａ）はＬＣＤ画面を表し画像２０の上下のマスク部分にＯＳＤデータ２０ａ、２０ｂが表示されている。（ｂ）はワイドテレビジョン画面であり、画像２１の上下のマスク部分にＯＳＤデータ２１ａ、２１ｂが表示されている。（ｃ）は４：３のテレビジョン画面であり、画像２２の上下のマスク部分にＯＳＤデータ２２ａ、２２ｂが表示されている。そしてＬＣＤエンコーダ６とビデオエンコーダ７で重畳されるＯＳＤデータを同じものを使用している。また、これらのＯＳＤデータは、通常画像（４：３）の再生時とも同じものであるとする。図から分かるように、ワイドテレビジョンの画像２１においては、ＯＳＤ２１ａ、２１ｂが上下部分に存在するので、テレビジョン側はパノラマ画像と認識することができない。また、アスペクト比の違いを合わせる必要があるので、左右部分がやや引き伸ばされたような画像になってしまっている。
【００１３】
図３は本発明の第１の実施形態によるパノラマ画像を再生する時の様子を表した図である。（ａ）はＬＣＤ画面を表し画像２３の上下のマスク部分にＯＳＤデータ２３ａ、２３ｂが表示されている。（ｂ）はワイドテレビジョン画面であり、画像２４内にＯＳＤデータ２４ａ、２４ｂが表示されている。（ｃ）は４：３のテレビジョン画面であり、画像２５の上下にマスク部分２５ａ、２５ｄがあり、画像２５内にＯＳＤデータ２５ｂ、２５ｃが表示されている。図３では、ＬＣＤとテレビジョン出力とで異なるＯＳＤデータを用い、その表示位置を変更することで、ＬＣＤの場合はマスク部分を利用しＯＳＤを表示しているので、ＯＳＤ、主画像とも見やすくなっている。またワイドテレビの場合は、ＯＳＤと主画像とを重ね、上下に無信号領域を設けることで、テレビ側で画面一杯にパノラマ画像を映し出せるようにしている。このようにすることで、パノラマ画像特有のダイナミック感をより楽しむ事が出き、かつ必要な情報も失われる事無く、主画像とともに表示する事ができるようになる。
図４は本発明の第２の実施形態によるパノラマ画像を再生する時の様子を表した図である。（ａ）はＬＣＤ画面を表し画像２６の上下のマスク部分にＯＳＤデータ２６ａ、２６ｂが表示されている。（ｂ）はワイドテレビジョン画面であり、画像２７内にＯＳＤデータ２７ａ、２７ｂが表示されている。（ｃ）は４：３のテレビジョン画面であり、画像２８の上下にマスク部分２８ａ、２８ｂがあり、画像２８内にＯＳＤデータ２８ｃ、２８ｄが表示されている。
図４では、主画像に対するＯＳＤの大きさの比を変更することで、テレビジョンで鑑賞する際の主画像見えを更に良くするようにしている。ＯＳＤは主画像に対する比率が小さくなっているが、テレビジョンの画面自体が大きくなっているので、見えにくくなるという心配はない。
またテレビジョンが４：３のアスペクト比の場合は、ワイドテレビジョンと同じビデオエンコーダを通し、且つ同じＯＳＤデータを使用しているので、図３、図４に示すように上下にマスク領域があるにもかかわらず、主画像とＯＳＤが重なって表示されてしまっているが、ＬＣＤで見るよりも画面の大きさが大きくなっているので、それほど違和感無く鑑賞することができる。しかし、ＬＣＤと同様にマスク部分にＯＳＤを表示するようにした方が、より主画像が見やすくすることができる。
【００１４】
図５はユーザーが使用しているテレビジョンのアスペクト比を設定するためのメニュー画面の図である。図５に示すようなユーザーが使用しているテレビジョンのアスペクト比４０が「１６：９」４０ａであるか「４：３」４０ｂであるかを設定するために「リセット」４１か「設定」４２の何れかを選択する。画面ではテレビジョンのアスペクト比４０が「１６：９」４０ａで、「設定」４２が選択された画面である。
図６本発明の第３の実施形態によるパノラマ画像を再生する時の様子を表した図である。（ａ）はＬＣＤ画面を表し画像２９の上下のマスク部分にＯＳＤデータ２９ａ、２９ｂが表示されている。（ｂ）はワイドテレビジョン画面であり、画像３０内にＯＳＤデータ３０ａ、３０ｂが表示されている。（ｃ）は４：３のテレビジョン画面であり、画像３１の上下のマスク部分にＯＳＤデータ３１ａ、３１ｂが表示されている。図６に示すように、４：３のテレビジョンをユーザーが使用している場合でも、パノラマ画像３１をＯＳＤに邪魔される事無く鑑賞できるようにすることが可能になる。
以上、ここまではＬＣＤ用のエンコーダとテレビジョン用のエンコーダが独立に存在し、同時にそれぞれの表示装置に出力できるデジタルスチルカメラについて説明してきたが、実際にデジタルスチルカメラに使用されるＤＳＰにおいては、処理能力の制限、回路規模の制限、ピン数の制限、及びデジタルスチルカメラとしての電力削減の観点から、ビデオエンコーダとしては１つしか備えておらず、ＬＣＤかテレビジョンのどちらかだけに出力が可能というものが多く存在する。
【００１５】
図７は第２の実施形態に係るデジタルスチルカメラの回路の一例を示すブロック図である。図７が図１と異なる点は、ＬＣＤエンコーダ６を削除して外部出力端子１０にケーブル１７が挿入されたか否かを検出するためのスイッチ１６を備えた点である。同じ構成要素には同じ参照番号を付して説明する。図７のブロック図に示すように外部出力端子１０にケーブル１７が挿入されたか否かを検出するためのスイッチ１６を更に備え、ケーブル１７が挿入されていない場合は、ＬＣＤ用のＯＳＤデータを用いてビデオエンコーダ７でＬＣＤ用に信号をエンコードし、ＬＣＤ９にその信号を出力する。またケーブル１７が挿入されている場合は、ワイドテレビジョン１１用のＯＳＤデータを用いてビデオエンコーダ７でテレビジョン用に信号をエンコードし、出力させるようにする。
尚、図５では、ユーザーが使用しているテレビジョンのアスペクト比が１６：９であるか４：３であるかを設定するためのメニューを設けた場合について説明したが、カメラのＡＥ機能を用いてユーザーが出力させようとする外部表示装置のアスペクト比を自動的に判別するようにすることも可能である。例えば、アスペクト自動判別モードを設け、そのモードに入るとテレビジョンの画面一杯にビデオエンコーダで設定できる範囲で最大の輝度が得られるような信号を出力するように動作させる。ユーザーはその画面を撮像するように、カメラをテレビジョンに向ける。テレビジョンの画面と画面以外の部分とは、明らかな輝度差が生じているので、撮像された画像データを画面内で細かい領域に分け、それぞれの領域の輝度を測定すれば、明るい部分の縦横比が算出される。画面内を細かく領域分けし、その領域毎の輝度データを解析する機能は、通常デジタルスチルカメラで行っているＡＥ機能として具備しているので、前述の機能を達成する事ができる。
【図面の簡単な説明】
【００１６】
【図１】本発明の第１の実施形態に係るデジタルスチルカメラの回路の一例を示すブロック図である。
【図２】従来のデジタルスチルカメラにおいて、パノラマ画像を再生する時の様子を表した図である。
【図３】本発明の第１の実施形態によるパノラマ画像を再生する時の様子を表した図である。
【図４】本発明の第２の実施形態によるパノラマ画像を再生する時の様子を表した図である。
【図５】ユーザーが使用しているテレビジョンのアスペクト比を設定するためのメニュー画面の図である。
【図６】本発明の第３の実施形態によるパノラマ画像を再生する時の様子を表した図である。
【図７】本発明の第２の実施形態に係るデジタルスチルカメラの回路の一例を示すブロック図である。
【符号の説明】
【００１７】
１  ＣＣＤ、２  ＣＤＳ、ＡＧＣ、３  Ａ／Ｄ変換器、４  画像処理部、５  ＳＤＲＡＭ、６  ＬＣＤエンコーダ、７  ビデオエンコーダ、８  メモリーカード、９  ＬＣＤ、１０  外部出力端子、１１  ワイドテレビジョン、１２  テレビジョン、１３  ＲＯＭ、１４  ＤＳＰ、１５  ＣＰＵ、１８  ビデオアンプ、１００  デジタルスチルカメラ
【図１】
2006197524.tif 000003
【図２】
2006197524.tif 000004
【図３】
2006197524.tif 000005
【図４】
2006197524.tif 000006
【図５】
2006197524.tif 000007
【図６】
2006197524.tif 000008
【図７】
2006197524.tif 000009